(57)【要約】【課題】空気中の不純物を完全に分離してドレーンさせ、より良質の空気を得る産業用空気ドレーン装置を提供すること。【解決手段】空気進入孔と排気孔が形成された蓋と；空気進入孔と一致する噴出孔を少なくとも１つ以上形成して下側に複数の飛散孔を形成し、底面の中央に蓄水部を構成した動力発生粉砕室を構成する粉砕ハウジングと；熱伝導性が優れた材質で構成された凝集ハウジングと；凝集ハウジングの下段に結合され、脱水室を構成すると同時に複数の排出孔を形成して蓄水部を備えた脱水ハウジングと；粉砕ハウジング、凝集ハウジングおよび脱水ハウジングを覆うように蓋に結合されたメインハウジングと；回動軸と；噴出孔の位置に形成されるインペラと；複数の脱水孔により形成される脱水筒と；を含んで構成され、インペラから得る動力で脱水筒が回転することを特徴とする、産業用空気ドレーン装置が提供される。【選択図】図１
0003131179.tif 000002
【実用新案登録請求の範囲】
【請求項１】
空気進入孔と排気孔が形成されて下段には中央に蓄水部を形成した結合部が構成された蓋と；
前記蓋の結合部に結合され、空気進入孔と一致する噴出孔を少なくとも１つ以上形成してその下側に空気を排出する複数の飛散孔を形成し、底面の中央に蓄水部を構成した動力発生粉砕室を構成する粉砕ハウジングと；
前記粉砕ハウジングの前記飛散孔の外部に隣接して位置するように結合される、熱伝導性が優れた材質で構成された凝集ハウジングと；
前記凝集ハウジングの下段に結合され、脱水室を構成すると同時に複数の排出孔を形成して蓄水部を備えた脱水ハウジングと；
前記粉砕ハウジング、前記凝集ハウジングおよび前記脱水ハウジングを覆うように前記蓋に結合されたメインハウジングと；
前記蓋の蓄水部に上段が支持され、前記粉砕ハウジングの前記蓄水部に中央が支持され、脱水ハウジングの蓄水部には下段が支持されるように設置される回動軸と；
前記回動軸によって支持される前記粉砕ハウジング内部の空気が噴出される前記噴出孔の位置に形成されるインペラと；
前記回動軸によって支持される前記脱水ハウジング内部に複数の脱水孔により形成される脱水筒と；
を含んで構成され、前記インペラから得る動力で前記脱水筒が回転することを特徴とする、産業用空気ドレーン装置。
【請求項２】
不純物を破砕すると同時に動力を発生させる破砕／動力発生手段と；
飛散による凝集を利用して１次的に不純物と空気を分離する１次分離手段と；
遠心力を利用して２次的に次的に不純物と空気を分離する２次分離手段と；
最後に排出される空気に含有された水分を逆流防止片にて回収する回収手段と；
を含んで構成されることを特徴とする産業用空気ドレーン装置。
【請求項３】
前記粉砕ハウジングに形成されている、空気を外部に飛散して排出する前記飛散孔は、内側は孔が狭くて外側は孔が広いテーパー孔で形成されていることを特徴とする、請求項１に記載の産業用空気ドレーン装置。
【請求項４】
前記粉砕ハウジング、前記凝集ハウジングおよび前記脱水ハウジングを覆うように前記蓋に結合された前記メインハウジングの内周壁に、逆流防止片が環設されることを特徴とする請求項１に記載の産業用空気ドレーン装置。
【考案の詳細な説明】
【技術分野】
【０００１】
本考案は、産業用に使われる空気中に含まれている水分やオイルを完全に分離ドレーンして、より良質の空気を用いることで生産製品の品質を向上させ、さらに空気を用いる機器の使用寿命を延長できる、産業用空気ドレーン装置及びその方法に関する。
【背景技術】
【０００２】
産業発展と共に空圧機器が開発され、これによって空気は製品をきれいに洗浄する洗浄用として、さらに動力を発生させる動力源としても用いられ、原料の噴射用等、その用途は数え切れないほど多い。
【０００３】
これと共に空気を使用する技術が急速に発展すると共に、その用途も多様化されて利便性が向上されているが、使用される空気には水分とオイルなどの異質物である不純物が含まれているため、直接使用する機器に損傷を与えたり、空気が直接接触する製品の品質を低下したりする原因ともなって、空気中の不純物を除去することが最も大きい課題の一つとなった。
【考案の開示】
【考案が解決しようとする課題】
【０００４】
上記課題を解決するために、今までは空気が流れる通路に空気中の水分を抽出するための単純な空気膨張を利用した空気ドレーン装置を利用してきたが、これは空気中の不純物を除去するのに限界があったため、これを解決するため発展したのが、空気を冷却して空気中の水分を抽出するシステムが開発された。しかしながら、これもまた使用中に空気中の水分が凍りつくと共に、その機能がその役割を十分果たすことができなくなり、空気中に含まれていたオイルを分離することができないなど、多くの問題が生じた。
【０００５】
そこで、本考案は、上記問題に鑑みてなされたものであり、本考案の目的とするところは、空気が流れる通路に設けて、一次的に空気をインペラに噴射して、インペラを回転させると同時に空気中に含まれていた水分の塊とオイルの塊を破砕し、これらをノズルを通して熱伝導性が優れた凝集用ハウジングに噴射して、空気中に含まれていたオイルと水分を回収した後、これらを２次的に脱水ハウジングで脱水して、空気中の不純物を完全に分離してドレーンさせて、より良質の空気を得た後にこれを実際に使用する箇所に供給することにより、空気を使用する機器と製品を保護することが可能な、新規かつ改良された産業用空気ドレーン装置を提供することにある。
【課題を解決するための手段】
【０００６】
上記課題を解決するために、本考案のある観点によれば、空気進入孔と排気孔が形成されて下段には中央に蓄水部を形成した結合部が構成された蓋と；蓋の結合部に結合され、空気進入孔と一致する噴出孔を少なくとも１つ以上形成してその下側に空気を排出する複数の飛散孔を形成し、底面の中央に蓄水部を構成した動力発生粉砕室を構成する粉砕ハウジングと；粉砕ハウジングの飛散孔の外部に隣接して位置するように結合される、熱伝導性が優れた材質で構成された凝集ハウジングと；凝集ハウジングの下段に結合され、脱水室を構成すると同時に複数の排出孔を形成して蓄水部を備えた脱水ハウジングと；粉砕ハウジング、凝集ハウジングおよび脱水ハウジングを覆うように蓋に結合されたメインハウジングと；蓋の蓄水部に上段が支持され、粉砕ハウジングの蓄水部に中央が支持され、脱水ハウジングの蓄水部には下段が支持されるように設置される回動軸と；回動軸によって支持される粉砕ハウジング内部の空気が噴出される噴出孔の位置に形成されるインペラと；回動軸によって支持される脱水ハウジング内部に複数の脱水孔により形成される脱水筒と；を含んで構成され、インペラから得る動力で脱水筒が回転することを特徴とする、産業用空気ドレーン装置が提供される。
【０００７】
粉砕ハウジングに形成されている、空気を外部に飛散して排出する飛散孔は、内側は孔が狭くて外側は孔が広いテーパー孔で形成されていてもよい。
【０００８】
粉砕ハウジング、凝集ハウジングおよび脱水ハウジングを覆うように蓋に結合されたメインハウジングの内周壁に、逆流防止片が環設されていてもよい。
【０００９】
上記課題を解決するために、本考案の別の観点によれば、不純物を破砕すると同時に動力を発生させる破砕／動力発生手段と；飛散による凝集を利用して１次的に不純物と空気を分離する１次分離手段と；遠心力を利用して２次的に次的に不純物と空気を分離する２次分離手段と；最後に排出される空気に含有された水分を逆流防止片にて回収する回収手段と；を含んで構成されることを特徴とする産業用空気ドレーン装置が提供される。
【考案の効果】
【００１０】
以上説明したように本考案によれば、産業用で多様に使われる空気をより新鮮で清潔に供給して、空気を使用するすべての機器を保護し、使用寿命を延長させると共に、空気を使用して作業する製品の表面に不純物が付着するのを未然に防止して、製品の品質を向上させて、作業環境を改善して、作業者の健康を保護するなど高い効果を有する。
【考案を実施するための最良の形態】
【００１１】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１２】
図１および図２に示したように、本考案の一実施形態においては、産業現場で空気を使用するために、空圧を発生させるコンプレッサＣに連結して空気ライン７０を形成し、空気ライン７０のある一ケ所に空圧を発生させるコンプレッサＣ側の空気ライン７０ａには本考案の一実施形態にかかる空気進入孔１１が結合され、空気を実際に使用する側の空気ライン７０ｂには本考案の一実施形態にかかる排気孔１２が結合されて設置される。
【００１３】
これと共に本考案の一実施形態にかかる装置の設置が完了すると、コンプレッサＣで圧縮された空気を、空気ライン７０を通して押送し、多くの水分とオイルなどの不純物が含まれていた空気が本考案の一実施形態にかかる空気進入孔１１を通して進入し、これと一致する噴出孔２１を通して粉砕室２０ａ内部に設置されたインペラ５２に衝突する。
【００１４】
これと共にインペラ５２に衝突した空気は、空気の中に含まれていた水やオイルなどの不純物粒子が破砕されると同時にインペラ５２を回転させて回動力を得る。
【００１５】
この時、得られた回動力によりインペラ５２と同一の回動軸５０に設置された脱水筒５４も回転する。
【００１６】
上記のようにインペラ５２に衝突して動力を発生させると同時に、不純物の厚い粒子が破砕された空気は、粉砕室２０ａの外周壁に螺旋状に形成された、内側は孔が狭くて外側は孔が広くテーパー状に貫通しているテーパー孔、すなわちラッパ型の飛散孔２２を通して、飛散孔２２の外側を隣接しに覆うように設置された凝集ハウジング３０の内壁に衝突するように飛散される。
【００１７】
このような状態で飛散された空気は、圧力が急激に落ち、凝集ハウジング３０の内壁を冷却させると同時に、空気に含まれていた水分とオイルなどの不純物を凝集ハウジング３０の内壁に凝集させて下に流す。
【００１８】
この時、凝集ハウジング３０の内壁に凝集した水とオイルは、空気とは異なって別途に凝集ハウジング３０の内壁に沿って流れる。
【００１９】
上記のように多くの水分とオイルなどの不純物を凝集ハウジング３０の内壁で離脱させ、下へ流れた空気はインペラ５２から得られた動力で高速に回転する脱水筒５４の内部にさらに吸い込まれる。
【００２０】
脱水筒５４の内部に吸い込まれた空気は、遠心力により、また脱水筒５４の外壁に形成された複数の脱水孔５４ａを通して外部に強く放出しながら、空気中に含まれていた残余水分とオイルなどの不純物を再度空気から分離して、脱水ハウジング４０内壁に凝集させて、水分と残余オイルが除去された新鮮な空気が脱水ハウジング４０の下の排出孔４１を通してメインハウジング６０内部の下側に排出されて、メインハウジング６０と脱水ハウジング４０の間でまた上昇し、排気孔１２を通して作業所に連結された空気ライン７０ｂに供給されて作業現場に押送される。
【００２１】
この時、上記凝集ハウジング３０に凝集された水やオイルなどの不純物は、凝集ハウジング３０の内壁に沿って流れて、脱水ハウジング４０の内壁で再度凝集された水やオイルなどの不純物と共にメインハウジング６０の底に溜まる。
【００２２】
これと共にメインハウジング６０の底に淀んだ水やオイルなどの不純物はドレーン部６１を通して外部に排出される。
【００２３】
また、メインハウジング６０の下側に流れてメインハウジング６０と脱水ハウジング４０の間で漏れた空気に含まれて流れた水分は、メインハウジング６０内部に環設された逆流防止片６２により、再度回収されて流れる。
【００２４】
このような本考案の実施状態を空気の流れによりステップ別に説明すると、
不純物を破砕すると同時に動力を発生させる破砕／動力発生手段による破砕／動力発生ステップと、
飛散による凝集を利用して、１次的に不純物と空気を分離する１次分離手段による１次分離ステップと、
遠心力を利用して、２次的に不純物と空気を分離する２次分離手段による２次分離ステップと、
最後排出される空気に含まれた水分を逆流防止片で回収する回収手段による回収ステップと、
を含んで構成される。
【００２５】
以上、添付図面を参照しながら本考案の好適な実施形態について説明したが、本考案は係る例に限定されないことは言うまでもない。当業者であれば、実用新案登録請求の範囲に記載された範疇内において、各種の変更例または修正例に想到し得ることは明らかであり、それらについても当然に本考案の技術的範囲に属するものと了解される。
【図面の簡単な説明】
【００２６】
【図１】本考案の要部構成の断面の状態を示す説明図である。
【図２】本考案の実施状態の例示する説明図である。
【図３】本考案の要部である飛散孔の断面の構成を示す説明図である。
【符号の説明】
【００２７】
１０        蓋
１１        空気進入孔
１２        排気孔
１３        蓄水部
２０        粉砕ハウジング
２０ａ      粉砕室
２１        噴出孔
２２        飛散孔
２３        蓄水部
３０        凝集ハウジング
４０        脱水ハウジング
４０ａ      脱水室
４１        排出孔
４２        蓄水部
５０        回動軸
５２        インペラ
５４        脱水筒
５４ａ      脱水孔
６０        メインハウジング
６１        ドレーン部
６２        逆流防止片
７０、７０ａ、７０ｂ      空気ライン 
Ｃ          コンプレッサ
【図１】
0003131179.tif 000003
【図２】
0003131179.tif 000004
【図３】
0003131179.tif 000005